(57)【特許請求の範囲】
【請求項１】
四隅部裏面がフロアパネル支持体上に支承され、四隅部に切欠凹部を備えた複数のフロアパネルからなり、切欠凹部の衝合部に形成される頭部収容凹部をフロアパネル支持体に固定されるフロアパネル締結具の押さえ頭部により押さえつけて各フロアパネルがフロアパネル支持体上に固定されるフロアパネル床面にボーダーパネルを連設するフロアパネル床面へのボーダーパネルの連設構造であって、
前記ボーダーパネルはフロアパネル床面との境界側隅部が面取り状に切り欠かれるとともに、
前記ボーダーパネルには前記面取り状切欠に沿って形成される嵌合凹溝に嵌合し、隣接するフロアパネルの切欠凹部と共働して頭部収容凹部を形成する連結ピースが連結され、
前記フロアパネル締結具によりフロアパネルと連結ピースとが共締めされるフロアパネル床面へのボーダーパネルの連設構造。
【請求項２】
前記連結ピースは直角二等辺三角形状に形成され、斜辺部にボーダーパネルのフロアパネル床面との境界辺隅部に形成された嵌合凹溝に嵌合する嵌合突部が、底辺部にフロアパネル床面と共働してフロアパネル締結具の頭部収容凹部を形成する切欠凹部が形成される請求項１記載のフロアパネル床面へのボーダーパネルの連設構造。
【請求項３】
前記連結ピースは、底辺部中心から各斜辺部に垂下させた垂線からなる分割線を有し、いずれか一方の分割線から切断された直角二等辺三角形を除く残余部の２個と、１個のフロアパネルの切欠凹部により真円形の頭部収容凹部を形成可能な請求項２記載のフロアパネル床面へのボーダーパネルの連設構造。
【請求項４】
四隅部裏面がフロアパネル支持体により支承されて設置されるフロアパネルにより形成されるフロアパネル床面に延設されるボーダーパネルであって、
前記フロアパネルと等幅に形成される板材のフロアパネルに隣接する一側面両隅に面取り状切欠を有するとともに、表面には面取り状切欠に沿って嵌合凹溝が切り込まれたボーダーパネル。
【請求項５】
請求項１記載のボーダーパネルの連設構造により連結されたボーダーパネルの連結反対縁近傍がボーダーパネル支持体により支持されたボーダーパネルの設置構造であって、
前記ボーダーパネルの上面には、該ボーダーパネルの表裏に貫通するプレート保持孔に嵌合する締結杆頭部収容凹部を備えた押さえプレートが載置されるとともに、
前記締結杆頭部収容凹部内には前記ボーダーパネル支持体に連結されるボーダーパネル締結杆の押さえ頭部が収容され、
ボーダーパネルは押さえプレートの弾性プレート部により下方に押圧されて浮き上がりが規制されるボーダーパネルの設置構造。
【請求項６】
前記ボーダーパネル支持体は、ボーダーパネル同士の当接辺に対応して配置され、
前記プレート保持孔は各ボーダーパネルに設けられた切欠が合致して形成される請求項５記載のボーダーパネルの設置構造。
【請求項７】
前記フロアパネル支持体は、前記ボーダーパネル支持体の中央部にフロアパネル締結具の受け部を着脱可能に装着して形成される請求項５または６記載のボーダーパネルの設置構造。
【請求項８】
床基部上に設置され、上方に向けて雄ねじ杆が立設されたボーダーパネル支持脚と、
雄ねじ杆にねじ込まれて床基部上適宜高さに保持され、上面にボーダーパネルを支承するボーダーパネル支持プレートと、
押さえ頭部に形成された操作用凹部を操作してボーダーパネルを貫通して雄ねじ杆にねじ込まれるボーダーパネル締結杆と、
錐面からなるフランジ状の弾性プレート部の中心に前記ボーダーパネル締結杆の押さえ頭部を収容する締結杆頭部収容凹部を備えてボーダーパネル上面に載置され、ボーダーパネル締結杆のねじ込み操作により押さえ頭部裏面が締結杆頭部収容凹部の底壁を押しつけて弾性プレート部が弾性変形し、周縁がボーダーパネルの表面に当接して中心部がやや浮いた状態となっている弾性プレート部をボーダーパネル表面とほぼ同一面にしてボーダーパネルを押さえつける押さえプレートとを有するボーダーパネル支持装置。
【請求項９】
前記ボーダーパネル支持プレートは、雄ねじ杆にねじ込まれるナットにより支承されて床基部上適宜高さに保持されるとともに、該ナットによる被支承部は前記ボーダーパネル締結杆の終端面により圧接される請求項８記載のボーダーパネル支持装置。
【発明の詳細な説明】
【０００１】
【発明の属する技術分野】
本発明は、フロアパネル床面へのボーダーパネルの連設構造に関するものである。
【０００２】
【従来の技術】
フロアパネル支持装置により複数のフロアパネルを配設して二重床を構成する場合、フロアパネルにより構成されるフロアパネル床面と壁面との境界部等にはフロアパネルの面積より狭いスペースが形成されることがあり、当該スペースを埋めて床面とするためには、適宜の板材を切断したボーダーパネル、あるいは上記フロアパネルを所定寸法に切断したカットパネルが使用される。
【０００３】
図１１（ａ）はボーダーパネル６によりボーダー床面を形成する場合の従来例であり、ボーダーパネル６は四隅部に立設された支持脚６ｄにより床基部１４上に載置される。なお、図１１（ａ）において１７は壁面、２はフロアパネル床面５を構成するフロアパネルを示す。しかし、この従来例において各ボーダーパネル６は床基部１４上に単に載置されているだけであるために、ずれやすく、その上、各ボーダーパネル６を水平にするためには、４本の支持脚６ｄ、６ｄ・・の高さを均一となるように調整する必要があり、作業性が劣るという欠点がある。
【０００４】
図１１（ｂ）はかかる問題の解消に有効なボーダー床面の構造を示すもので、ボーダー部にはフロアパネル床面５を構成するフロアパネル２を切断したカットパネル２’が使用される。フロアパネル２、およびカットパネル２’のフロアパネル床面５との連結部には、予めフロアパネル締結具４によって締め付ける切欠凹部２ａが設けられており、カットパネル２’とフロアパネル２とはフロアパネル締結具４を介して連結されるために、相互に位置ずれを起こすことはない。
【０００５】
しかし、この従来例においては、フロアパネル２の切断作業が容易でない上に、カットパネル２’に新たに脚２ｂを固定する必要があり、さらに、フロアパネル２との連結部がフロアパネル締結具４により締め付けられる結果、反対端が矢印Ａで示すように浮き上がるという問題がある。
【０００６】
【発明が解決しようとする課題】
本発明は、以上の欠点を解消すべくなされたものであって、ボーダーパネルの設置効率を向上させることができ、かつフロアパネル床面に確実に連結させることのできるフロアパネル床面へのボーダーパネルの連設構造の提供を目的とする。また、本発明の他の目的は、上記連結構造に利用することのできるボーダーパネルの提供にある。さらに、本発明の他の目的は、設置効率が高く、容易にずれたり浮き上がったりしないボーダーパネルの設置構造の提供にあり、加えて、このボーダーパネルの設置構造に利用できるボーダーパネル支持装置の提供を目的とする。
【０００７】
【課題を解決するための手段】
本発明によれば上記目的は、
四隅部裏面がフロアパネル支持体１上に支承され、四隅部に切欠凹部２ａ、２ａ・・を備えた複数のフロアパネル２、２・・からなり、切欠凹部２ａの衝合部に形成される頭部収容凹部３をフロアパネル支持体１に固定されるフロアパネル締結具４の押さえ頭部４ａにより押さえつけて各フロアパネル２がフロアパネル支持体１上に固定されるフロアパネル床面５にボーダーパネル６を連設するフロアパネル床面へのボーダーパネルの連設構造であって、
前記ボーダーパネル６はフロアパネル床面５との境界側隅部が面取り状に切り欠かれるとともに、
前記ボーダーパネル６には前記面取り状切欠６ａに沿って形成される嵌合凹溝６ｂに嵌合し、隣接するフロアパネル２の切欠凹部２ａと共働して頭部収容凹部３を形成する連結ピース７が連結され、
前記フロアパネル締結具４によりフロアパネル２と連結ピース７とが共締めされるフロアパネル床面へのボーダーパネルの連設構造を提供することにより達成される。
【０００８】
フロアパネル床面５を構成するフロアパネル２は四隅部に予め切欠凹部２ａを有しており、一般部、すなわち、４枚のフロアパネル２が衝接する部位においては、切欠凹部２ａが集合して形成される頭部収容凹部３を使用してフロアパネル締結具４によるフロアパネル２同士の連結、固定がなされる。フロアパネル床面５と壁面１７との間に敷設されるボーダー床面はボーダーパネル６、６・・を並べて形成され、ボーダーパネル６とフロアパネル床面５との間には連結ピース７が介装される。連結ピース７は嵌合突部８をボーダーパネル６側の嵌合凹溝６ｂに嵌合してボーダーパネル６に連結されており、ボーダーパネル６の不用意な移動を禁止する。また、連結ピース７を所定位置にセットした状態において、連結ピース７とフロアパネル２に形成される切欠凹部２ａとは共働して頭部収容凹部３を形成し、当該頭部収容凹部３を利用してフロアパネル締結具４による連結、固定を行うことができる。
【０００９】
したがって本発明において、フロアパネル床面５を構成するために使用されるフロアパネル締結具４をそのまま使用してボーダーパネル６をフロアパネル床面５に連結することができるために、部品の共通化が可能になる上に、フロアパネル締結具４として例えばワンタッチ装着が可能なものなど、装着作業性が良好なものを使用する場合には、当該フロアパネル締結具４をそのまま使用するために、ボーダーパネル６の連結作業も容易になる。また、ボーダーパネル６は連結ピース７により移動が規制されているために、不用意にずれることはなく、安定したボーダー床面を構成することができる。さらに、ボーダーパネル６の面取り状切欠６ａは面取り状に形成されるために、単に隅部を直線的に切り落とすだけで形成できる上に、嵌合凹溝６ｂも面取り状切欠６ａに沿って直線状の溝を掘るだけで形成することも可能なので、予め工場で製造しておく場合には製造作業性を向上させることができる。加えてこれらは直線状の加工のみであるために、施工現場でも行うことができるために、製造、施工の融通性を高めることができる。ボーダーパネル６をパーティクルボードにより使用すると、加工性をより向上させることができる。
【００１０】
上記連結構造に使用するボーダーパネルの連結ピース７は、直角二等辺三角形状に形成され、斜辺部７ａにボーダーパネル６のフロアパネル床面５との境界辺隅部に形成された嵌合凹溝６ｂに嵌合する嵌合突部８が、底辺部７ｂにフロアパネル床面５と共働してフロアパネル締結具４の頭部収容凹部３を形成する切欠凹部７ｃが形成されたものを使用することができる。
【００１１】
この場合、底辺部７ｂ中心から各斜辺部７ａに垂下させた垂線からなる分割線９を有し、いずれか一方の分割線９から切断された直角二等辺三角形を除く残余部の２個と、１個のフロアパネル２の切欠凹部２ａ、７ｃにより真円形の頭部収容凹部３を形成可能とすることにより、図７に示すように、同種の連結ピース７を使用して種々の態様の連結状態を構成することができるために、部品の汎用性を高めることができる。
【００１２】
また、ボーダー床面を構成するボーダーパネル６には、
四隅部裏面がフロアパネル支持体１により支承されて設置されるフロアパネル２により形成されるフロアパネル床面５に延設されるボーダーパネル６であって、
前記フロアパネル２と等幅に形成される板材のフロアパネル２に隣接する一側面両隅に面取り状切欠６ａを有するとともに、表面には面取り状切欠６ａに沿って嵌合凹溝６ｂが切り込まれたものを使用することができる。
【００１３】
かかるボーダーパネル６を予め工場で製造して施工現場に搬送すると、施工現場では、ボーダーパネル６の長さ調節のための切断作業しか必要なくなるために、施工効率を向上させることができる。
【００１４】
上述したボーダーパネル６の連結構造を利用したボーダーパネルの設置構造は、
ボーダーパネル６の上面には、表裏に貫通するプレート保持孔１１に嵌合する締結杆頭部収容凹部１２ｃを備えた押さえプレート１２が載置されるとともに、前記締結杆頭部収容凹部１２ｃ内にはボーダーパネル支持体１０に連結されるボーダーパネル締結杆１３の押さえ頭部１３ａが収容され、
ボーダーパネル６は押さえプレート１２の弾性プレート部１２ａにより下方に押圧されて浮き上がりが規制されるように構成される。
【００１５】
ボーダーパネル６のフロアパネル床面５との連結部と反対部にはボーダーパネル支持体１０が配置され、ボーダーパネル６を支持する。ボーダーパネル支持体１０にはボーダーパネル締結杆１３が固定され、固定状態においてボーダーパネル締結杆１３の押さえ頭部１３ａは押さえプレート１２を下方に押圧し、ボーダーパネル６の浮き上がりを規制する。
【００１６】
ボーダーパネル支持体１０をボーダーパネル６の辺縁に対応させて配置すると、ボーダーパネル支持体１０の数を減らすことができる。また、フロアパネル床面５を構成するために使用されるフロアパネル支持体１を、ボーダーパネル支持体１０にフロアパネル締結具４の受け部１ａを着脱自在に装着して形成した場合には、部品点数を減少させることができる上に、汎用性を向上させることができる。
【００１７】
また、ボーダーパネル６の支持装置は、
床基部１４上に設置され、上方に向けて雄ねじ杆１５ａが立設されたボーダーパネル支持脚１５と、
雄ねじ杆１５ａにねじ込まれて床基部１４上適宜高さに保持され、上面にボーダーパネル６を支承するボーダーパネル支持プレート１６と、
押さえ頭部１３ａに形成された操作用凹部１３ｂを操作してボーダーパネル６を貫通して雄ねじ杆１５ａにねじ込まれるボーダーパネル締結杆１３と、
錐面からなるフランジ状の弾性プレート部１２ａの中心に前記ボーダーパネル締結杆１３の押さえ頭部１３ａを収容する締結杆頭部収容凹部１２ｃを備えてボーダーパネル６上面に載置され、ボーダーパネル締結杆１３のねじ込み操作により押さえ頭部１３ａ裏面が締結杆頭部収容凹部１２ｃの底壁を押しつけて弾性プレート部１２ａが弾性変形し、周縁がボーダーパネル６の表面に当接して中心部がやや浮いた状態となっている弾性プレート部１２ａをボーダーパネル６表面とほぼ同一面にしてボーダーパネル６を押さえつける押さえプレート１２とを有して構成することができる。
【００１８】
さらにこの場合、ボーダーパネル支持プレート１６を、雄ねじ杆１５ａにねじ込まれるナット１ｇにより支承して床基部上適宜高さに保持し、ナット１ｇによる被支承部をボーダーパネル締結杆の終端面により圧接させると、ボーダーパネル支持プレート１６のゆるみ、がたつきを防止できる。
【００１９】
【発明の実施の形態】
図３にフロアパネル床面５にボーダー床面１９を連結した二重床を示す。フロアパネル床面５は平面視正方形状のフロアパネル２の複数を並べて形成され、各フロアパネル２を支承、連結するために、フロアパネル２の四隅衝合部にはフロアパネル支持装置１８が配置される。また、ボーダー床面１９は、パーティクルボード（植物繊維質の切削片、破砕片に合成樹脂接着剤を塗布し、人工的に成板したもの）から形成されるボーダーパネル６を並べて構成され、フロアパネル床面５との境界はフロアパネル支持装置１８により、壁面１７側はボーダーパネル支持装置２０により支承される。なお、図３において２２はフロアパネル２の対向する一対の辺縁に固定される床下配線の引き出し具を示す。
【００２０】
フロアパネル２は、図４に示すように、表裏面板２ｃ、２ｄを接合して形成され、四隅部に締結用の切欠凹部２ａを備える。切欠凹部２ａは四分円形の切欠２ｅに沿って締結面２ｆを形成したもので、四枚のフロアパネル２の四隅衝合部には、切欠凹部２ａが集合して締結具挿通孔２１と、各締結面２ｆ、２ｆ・・を底壁とする頭部収容凹部３が形成される。
【００２１】
このフロアパネル２を支持するフロアパネル支持装置１８は、図１、２に示すように、フロアパネル支持体１と、フロアパネル締結具４とからなる。フロアパネル支持体１は、床基部１４上に固定されるベースプレート１ｂから上方に向けて雄ねじ杆１５ａを立設したパネル支持脚１ｃと、パネル支持面１ｄから下方に向けて脚固定部１ｅを突設したパネル支持プレート１ｆと、パネル支持プレート１ｆの上面に連結されるフロアパネル締結具４の受け部１ａとから構成される。パネル支持プレート１ｆは脚固定部１ｅに螺合されたナット１ｇを雄ねじ杆１５ａにねじ込んだ後、上方から締結ナット２３を締め付けてパネル支持脚１ｃに連結される。また、受け部１ａは爪部１ｈをパネル支持面１ｄに係止させてパネル支持プレート１ｆに連結され、爪部１ｈの係止を解除することによりパネル支持プレート１ｆから取り外すことができる。
【００２２】
フロアパネル締結具４は押さえ頭部４ａの裏面に係止爪４ｂを有し、該係止爪４ｂをフロアパネル２の衝合部に形成される爪挿通凹部２４から挿通させた後、中心軸周りに４５°程度回転させるだけでフロアパネル２衝合部に装着される。フロアパネル締結具４を回転させることにより、係止爪４ｂはパネル支持面１ｄの裏面に形成された傾斜面（図示せず）により下方に引き込まれ、押さえ頭部４ａが各フロアパネル２の締結面２ｆを押しつけることからフロアパネル２の浮き上がりを規制するとともに、頭部収容凹部３内に押さえ頭部４ａが嵌合してフロアパネル２の相対移動が規制される。また、押さえ頭部４ａの高さは頭部収容凹部３の深さにほぼ一致しており、フロアパネル締結具４の表面がフロアパネル床面５から飛び出すのを防止する。
【００２３】
一方、図５に示すように、ボーダーパネル６はフロアパネル２の幅寸法と同一の幅寸法ｄを有する矩形のパーティクルボードに面取り状切欠６ａを形成して構成される。面取り状切欠６ａは、隅部を４５°の角度で面取りして形成され、フロアパネル２に対向する辺縁の隅部にのみ形成される。また、ボーダーパネル６の表面には上記面取り状切欠６ａに沿う直線状の嵌合凹部６ｂが設けられ、該嵌合凹部６ｂに連結ピース７が連結される。
【００２４】
連結ピース７は図６に示すように、直角二等辺三角形状のプレート体で、直角を挟んだ斜辺部７ａに沿って直線的に延びる嵌合突部８を備え、嵌合突部８を嵌合凹溝６ｂに嵌合してボーダーパネル６に連結される。ボーダーパネル６に連結ピース７を連結した状態で、連結ピース７の表面とボーダーパネル６表面はほぼ同一面となり、床面からの飛び出しが防止される。また、ボーダーパネル６の面取り状切欠６ａ端面には連結ピース７を裏面を支承する段差部６ｅが形成され、図６（ｂ）で矢印Ｂ方向の転びが防止される。また、連結ピース７は底辺部７ｂに上記フロアパネル２の切欠凹部２ａと同形状の切欠凹部７ｃが形成され、２枚のフロアパネル２の衝合部に底辺部７ｂを突き当てると、フロアパネル２の切欠凹部２ａと共働して頭部収容凹部３が形成される。
【００２５】
さらに、上記連結ピース７は分割線９を備える。図７に示すように、分割線９は各斜辺部７ａの中心から引き出される垂線位置に合致しており、例えば、スリット状の凹溝、あるいはけがき線により形成される。連結ピース７は分割線９から、折り曲げ、あるいは刃物を使用して図７（ｂ）において鎖線で示す直角二等辺三角形部分を分離可能であり、２個の残余部を組み合わせると、１枚のフロアパネル２との間に頭部収容凹部３を構成することができる。
【００２６】
したがってこの実施の形態において、フロアパネル床面５にボーダーパネル６を連結するには、フロアパネル２を設置した後、ボーダーパネル６を面取り状切欠６ａ形成辺の反対辺部を切断してボーダー床面１９の寸法を合わせる。ボーダーパネル６はパーティクルボードにより形成されているために、加工性が良好で、施工現場でも簡単に行うことができる。切断されたボーダーパネル６は図１、２に示すように面取り状切欠６ａ形成部の隅部をフロアパネル支持装置１８のパネル支持面１ｄ上に載せ、さらにボーダーパネル６とパネル支持プレート１ｆとの間に連結ピース７を張り渡す。連結ピース７はボーダーパネル６の嵌合凹溝６ｂと段差部６ｅとを利用して圧入状にボーダーパネル６に連結される。連結ピース７はフロアパネル２とボーダーパネル６との連結状態を考慮して種々の形態で使用され、図３におけるＣ部のように、２枚のフロアパネル２、２が衝合している部位では分割線９から破断されていない状態のものが使用され、図３におけるＤ部のように、フロアパネル床面５の隅部では、分割線９から直角二等辺三角形部分を切断した残余部の２枚が使用される。ボーダーパネル６に圧入されて装着される連結ピース７は図１に示すように、ボーダーパネル６の面取り状切欠６ａ端面から外方に突出した状態となってフロアパネル２、あるいは他のボーダーパネル６との衝合部に至っており、図６に示すように、連結ピース７とフロアパネル２の切欠凹部７ｃ、２ａにより形成される締結具挿通孔２１にフロアパネル締結具４を挿通させた後、フロアパネル締結具４を回転させて押さえ頭部４ａによりフロアパネル２、および連結ピース７の締結面２ｆ、７ｄを押しつけると、ボーダーパネル６はフロアパネル２とともにフロアパネル締結具４により締め付けられた状態となって、浮き上がりが防止される。フロアパネル締結具４は例えばねじをねじ込むような作業を要せず、４５°程度回転させるだけでワンタッチでパネル支持プレート１ｆに連結することができ、この状態で締結面２ｆ、７ｄを押さえつけることができるために、簡単にかつ効率的に連結作業を行うことができる。また、辺縁に対して４５°の傾きをもつ嵌合凹溝６ｂに連結ピース７の嵌合突部８が嵌合しているために、ボーダーパネル６がずれることもない。
【００２７】
上述したように、連結ピース７を介してフロアパネル２に連結されたボーダーパネル６の連結部と反対縁にはボーダーパネル支持装置２０が配置されてボーダーパネル６を支承、固定する。ボーダーパネル支持装置２０は、図８、９に示すように、ボーダーパネル支持体１０と、ボーダーパネル締結杆１３と、押さえプレート１２とからなる。ボーダーパネル支持体１０は、床基部１４上に固定されるベースプレート１ｂから上方に向けて雄ねじ杆１５ａを立設したパネル支持脚１ｃと、パネル支持脚１ｃに連結されるボーダーパネル支持プレート１６とを有する。フロアパネル支持体１との部品の共有を図るために、ボーダーパネル支持体１０は、フロアパネル支持体１のパネル支持脚１ｃから受け部１ａを取り除くことにより得られ、他の部分はフロアパネル支持体１と同一の構成にされる。
【００２８】
一方、ボーダーパネル締結杆１３は、内周に雌ねじ１３ｃを形成した中空管体で、先端にフランジ状の押さえ頭部１３ａを備える。また、ボーダーパネル締結杆１３の先端には、六角レンチ等を挿入するための六角形の操作用凹部１３ｂが設けられる。このボーダーパネル締結杆１３は、ボーダーパネル６に開設された貫通状のプレート保持孔１１を挿通してボーダーパネル支持体１０の雄ねじ杆１５ａに螺合され、螺合状態において先端がパネル支持プレート１ｆの脚固定部１ｅ表面を圧接し、ねじの緩み止めとしての機能を果たす。
【００２９】
押さえプレート１２は図１０に示すように、錐面からなるフランジ状の弾性プレート部１２ａを有し、弾性プレート部１２ａの中心部を窪ませて締結杆頭部収容凹部１２ｃが形成される。締結杆頭部収容凹部１２ｃは上記ボーダーパネル締結杆１３の押さえ頭部１３ａを収納することができる径、深さ寸法を有し、その底壁には締結杆挿通孔１２ｂが穿孔される。
【００３０】
したがってこの実施の形態において、ボーダーパネル６を支持するには、まず、上記締結杆頭部収容凹部１２ｃが嵌合可能なプレート保持孔１１を表裏に貫通させて開設したボーダーパネル６をパネル支持面１ｄ上に保持した後、該プレート保持孔１１に押さえプレート１２の締結杆頭部収容凹部１２ｃを嵌合させる。装着状態において弾性プレート部１２ａは周縁がボーダーパネル６の表面に当接し、中心部がやや浮いた状態となっており、この後、ボーダーパネル締結杆１３を雄ねじ杆１５ａにねじ込むと、ボーダーパネル締結杆１３の押さえ頭部１３ａ裏面が締結杆頭部収容凹部１２ｃの底壁を押しつけて弾性プレート部１２ａが弾性変形し、ボーダーパネル６表面とほぼ同一面になる。この状態において、ボーダーパネル締結杆１３の終端面１３ｄはパネル支持プレート１ｆの脚固定部１ｅ表面を圧接し、ねじの緩み止めがなされる。
【００３１】
なお、ボーダー床面１９の隅部（図３におけるＥ部）においては、上述したように、ボーダーパネル６に真円形のプレート保持孔１１が開設されるが、図３におけるＦ部のように、ボーダーパネル６同士が隣接する部位では、各ボーダーパネル６の辺縁に半円形状のノッチ状切欠６ｆを設け、設置状態でプレート保持孔１１が形成されるようにすることもでき（図１０（ａ）参照）、このように構成すると、ボーダーパネル支持装置２０の使用数を減らすことができ、部品点数、および作業工数を削減できる。この場合、ノッチ状切欠６ｆは半円形である必要はなく、Ｖノッチ形状でもよい。また、ノッチ状切欠６ｆは施工現場で形成することも可能であるが、予め決められた位置にノッチ状切欠６ｆが形成されたボーダーパネル６を標準品として用意し、施工現場においては、長さ調整のための切断作業のみで設置できるように構成することもできる。
【００３２】
【発明の効果】
以上の説明から明らかなように、本発明によれば、フロアパネル敷設のための支持装置を使用して、フロアパネルの固定方法と同一方法でボーダーパネルを連結することができるために、各ボーダーパネルを不用意な移動、浮き上がりを防止して設置することができる。
【００３３】
また、このとき、ボーダーパネルへの加工は直線状の加工でよいために、二重床の施工現場でも容易に実施でき、施工効率を向上させることができる。
【図面の簡単な説明】
【図１】本発明を示す図で、図３の１Ａ-１Ａ線断面図である。
【図２】図３のＣ部におけるボーダーパネルを示す斜視説明図である。
【図３】ボーダー床面の連結状態を示す平面図である。
【図４】フロアパネルを示す図で、（ａ）は平面図、（ｂ）は（ａ）の４Ｂ-４Ｂ線断面図である。
【図５】ボーダーパネルを示す図で、（ａ）は平面図、（ｂ）は（ａ）の５Ｂ-５Ｂ線断面図である。
【図６】連結ピースを示す図で、（ａ）は平面図、（ｂ）は（ａ）の６Ｂ-６Ｂ線断面図である。
【図７】連結ピースの裏面図で、（ａ）は単体状態を示す図、（ｂ）は分割線から切り離したものを組み合わせた状態を示す図である。
【図８】ボーダーパネル支持装置を示す図である。
【図９】図３の９Ａ-９Ａ線断面図である。
【図１０】  押さえプレートを示す図で、（ａ）は平面図、（ｂ）は（ａ）の１０Ｂ-１０Ｂ線断面図である。
【図１１】従来例を示す図で、（ａ）は第１の従来例を示す側面図、（ｂ）は第２の従来例を示す一部断面図である。
【符号の説明】
１          フロアパネル支持体
１ａ        受け部
１ｇ        ナット
２          フロアパネル
２ａ        切欠凹部
３          頭部収容凹部
４          フロアパネル締結具
４ａ        押さえ頭部
５          フロアパネル床面
６          ボーダーパネル
６ａ        面取り状切欠
６ｂ        嵌合凹溝
７          連結ピース
７ａ        斜辺部
７ｂ        底辺部
７ｃ        切欠凹部
８          嵌合突部
９          分割線
１０        ボーダーパネル支持体
１１        プレート保持孔
１２        押さえプレート
１２ａ      弾性プレート部
１２ｃ      締結杆頭部収容凹部
１３        ボーダーパネル締結杆
１３ａ      押さえ頭部
１３ｂ      操作用凹部
１４        床基部
１５        ボーダーパネル支持脚
１５ａ      雄ねじ杆
１６        ボーダーパネル支持プレート
【図１】
0004169866.tif 000002
【図２】
0004169866.tif 000003
【図３】
0004169866.tif 000004
【図４】
0004169866.tif 000005
【図５】
0004169866.tif 000006
【図６】
0004169866.tif 000007
【図７】
0004169866.tif 000008
【図８】
0004169866.tif 000009
【図９】
0004169866.tif 000010
【図１０】
0004169866.tif 000011
【図１１】
0004169866.tif 000012